(57)【要約】【課題】水密性を保ちつつ、多様な指示をユーザから受け付けることができる撮像装置を提供すること。【解決手段】本発明に係る撮像装置は、ユーザが叩打可能に設けられた叩打部と、ユーザが叩打部を叩打することによる振動を検出する打音検出部と、振動の大きさ、周波数、又は大きさ若しくは周波数の変化に対応づけて、撮像装置に対する指示内容を予め格納する指示内容格納部と、打音検出部が検出した振動の大きさ、周波数、又は大きさ若しくは周波数の変化に対応づけて指示内容格納部が格納している指示内容を、撮像装置に対する指示内容として決定する指示決定部と、指示決定部が決定した指示内容に基づいて、撮像装置を操作する操作部とを備える。【選択図】図２
2008109350.tif 000002
【特許請求の範囲】
【請求項１】
画像を撮像する撮像装置であって、
ユーザが叩打可能に設けられた叩打部と、
ユーザが前記叩打部を叩打することによる振動を検出する打音検出部と、
前記打音検出部が検出した振動の大きさ、周波数、又は大きさ若しくは周波数の変化に応じて、前記撮像装置に対する指示内容を決定する指示決定部と、
前記指示決定部が決定した指示内容に基づいて、前記撮像装置を操作する操作部と
を備える撮像装置。
【請求項２】
振動の大きさ、周波数、又は大きさ若しくは周波数の変化に対応づけて、前記撮像装置に対する指示内容を予め格納する指示内容格納部
をさらに備え、
前記指示決定部は、前記打音検出部が検出した振動の大きさ、周波数、又は大きさ若しくは周波数の変化に対応づけて前記指示内容格納部が格納している指示内容を、前記撮像装置に対する指示内容として決定する
請求項１に記載の撮像装置。
【請求項３】
前記指示決定部は、ユーザによって前記撮像装置が叩打された叩打回数に対応する振動の大きさの変化又は周波数に応じて、前記撮像装置に対する指示内容を決定する
請求項１に記載の撮像装置。
【請求項４】
前記指示決定部は、ユーザによって前記撮像装置が叩打された強さに対応する振動の大きさに応じて、前記撮像装置に対する指示内容を決定する
請求項１に記載の撮像装置。
【請求項５】
前記指示決定部は、ユーザによって前記撮像装置が叩打された叩打回数に対応する振動の大きさの変化又は周波数に応じて、前記撮像装置に対する指示種別を決定するとともに、ユーザによって前記撮像装置が叩打された強さに対応する振動の大きさに応じて、当該指示種別に対する指示量を決定する
請求項１に記載の撮像装置。
【請求項６】
前記打音検出部は、前記撮像装置上の異なる位置に複数設けられ、
前記指示決定部は、ユーザによって叩打された前記撮像装置上の位置に対応する、前記打音検出部がそれぞれ検出した振動の大きさに応じて、前記撮像装置に対する指示内容を決定する
請求項１に記載の撮像装置。
【請求項７】
前記打音検出部、前記指示決定部、及び前記操作部を有する撮像部を水密状態にすべく前記撮像部の外部を覆うハウジング部
をさらに備え、
前記叩打部は、前記ハウジング部に、前記ハウジング部の外部からユーザが叩打可能に設けられており、
前記打音検出部は、前記叩打部から伝わる振動を検出する
請求項１に記載の撮像装置。
【請求項８】
前記叩打部は、ユーザが叩打可能に設けられたラバー部を有し、
前記打音検出部は、前記ラバー部がユーザによって叩打されることによって伝えられる振動を検出すべく、前記ラバー部に接して前記ハウジング部の内側に設けられる
請求項７に記載の撮像装置。
【請求項９】
画像を撮像する撮像装置にユーザが叩打可能に設けられた叩打部をユーザが叩打することによる振動を検出する打音検出段階と、
前記振動検出段階において検出された振動の大きさ、周波数、又は大きさ若しくは周波数の変化に応じて、前記撮像装置に対する指示内容を決定する指示決定段階と、
前記指示決定段階において決定された指示内容に基づいて、前記撮像装置を操作する操作段階と
を備える撮像方法。
【請求項１０】
画像を撮像する撮像装置用のプログラムであって、前記撮像装置を、
前記撮像装置にユーザが叩打可能に設けられた叩打部をユーザが叩打することによる振動を検出する打音検出部、
前記打音検出部が検出した振動の大きさ、周波数、又は大きさ若しくは周波数の変化に応じて、前記撮像装置に対する指示内容を決定する指示決定部、
前記指示決定部が決定した指示内容に基づいて、前記撮像装置を操作する操作部
として機能させるプログラム。
【発明の詳細な説明】
【技術分野】
【０００１】
本発明は、撮像装置、撮像方法、及びプログラムに関する。特に本発明は、画像を撮像する撮像装置及び撮像方法、並びに撮像装置用のプログラムに関する。
【背景技術】
【０００２】
光を指に投光して、指からの反射光によりユーザの指の位置を検知することによって、ユーザの操作信号を得る水中撮影機器が提案されている（例えば、特許文献１参照。）。この水中撮影機器によると、例えばユーザのボタン操作によって操作指示を受け付ける方式の水中カメラに比べて気密性を高めることができる。
【特許文献１】特開平９−１３８４５２号公報
【発明の開示】
【発明が解決しようとする課題】
【０００３】
しかしながら、特許文献１に記載の水中撮影機器を用いて水中撮影すると、ユーザの指が意図せずに投光領域を横切ってしまってユーザの意に反して操作がなされてしまう虞がある。また、水のゆらぎ等によってユーザの指からの反射光を正しく受光することができなかったり、水中を照らすライトからの光を検出してしまったりして、ユーザの指の位置を正しく検知することができない場合がある。このような場合には、水中撮影機器を正しく操作することができない。
【０００４】
そこで本発明は、上記課題を解決することができる撮像装置、撮像方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態によると、画像を撮像する撮像装置であって、ユーザが叩打可能に設けられた叩打部と、ユーザが叩打部を叩打することによる振動を検出する打音検出部と、打音検出部が検出した振動の大きさ、周波数、又は大きさ若しくは周波数の変化に応じて、撮像装置に対する指示内容を決定する指示決定部と、指示決定部が決定した指示内容に基づいて、撮像装置を操作する操作部とを備える。
【０００６】
振動の大きさ、周波数、又は大きさ若しくは周波数の変化に対応づけて、撮像装置に対する指示内容を予め格納する指示内容格納部をさらに備え、指示決定部は、打音検出部が検出した振動の大きさ、周波数、又は大きさ若しくは周波数の変化に対応づけて指示内容格納部が格納している指示内容を、撮像装置に対する指示内容として決定してよい。
【０００７】
指示決定部は、ユーザによって撮像装置が叩打された叩打回数に対応する振動の大きさの変化又は周波数に応じて、撮像装置に対する指示内容を決定してよい。
【０００８】
本発明の第２の形態における撮像方法は、画像を撮像する撮像装置にユーザが叩打可能に設けられた叩打部をユーザが叩打することによる振動を検出する振動検出段階と、打音検出段階において検出された振動の大きさ、周波数、又は大きさ若しくは周波数の変化に応じて、撮像装置に対する指示内容を決定する指示決定段階と、指示決定段階において決定された指示内容に基づいて、撮像装置を操作する操作段階とを備える。
【０００９】
本発明の第３の形態によると、画像を撮像する撮像装置用のプログラムであって、撮像装置を、撮像装置にユーザが叩打可能に設けられた叩打部をユーザが叩打することによる振動を検出する打音検出部、打音検出部が検出した振動の大きさ、周波数、又は大きさ若しくは周波数の変化に応じて、撮像装置に対する指示内容を決定する指示決定部、指示決定部が決定した指示内容に基づいて、撮像装置を操作する操作部として機能させる。
【００１０】
なお、上記の発明の概要は、本発明の必要な特徴の全てを列挙したものではなく、これらの特徴群のサブコンビネーションもまた、発明となりうる。
【発明の効果】
【００１１】
本発明によれば、気密性を保ちつつ、多様な指示をユーザから確実に受け付けることができる撮像装置を提供することができる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、一実施形態に係る撮像装置１００の概要の一例を示す。撮像装置１００は、撮像部１１０及びハウジング部１２０を備える。撮像部１１０は、表示部１１４、レリーズボタン１１２を有する。ハウジング部１２０は、撮像部１１０を水密状態にすべく、撮像部１１０の外部を覆う。撮像部１１０は、単体で水中撮影を行えるほど水密性が十分ではなくてよく、陸上においては撮像部１１０単体で被写体を撮像することができる。そして、撮像部１１０は、ハウジング部１２０の中に格納されると、水中で被写体を撮像することができる、水密性のある水中撮像装置として使用可能になる。
【００１４】
ハウジング部１２０には、ラバー部１３０と、ラバー部１３０からの振動を検出する複数のマイク部１４０ａ及びｂ（以下、マイク部１４０と総称する）とが設けられる。ハウジング部１２０とラバー部１３０とは、一体的に形成されてよい。ラバー部１３０は、ユーザが叩打可能に設けられる。ラバー部１３０は、ハウジング部１２０に設けられ、ハウジング部１２０の外部からユーザが叩打可能に設けられている。
【００１５】
ユーザは、撮像部１１０を操作する場合に、ラバー部１３０を叩打する。ラバー部１３０をユーザが叩打することによって生じた振動は、マイク部１４０に打音として検出される。そして、撮像部１１０は、打音を解析することによってユーザによって叩打された回数及び強さの情報を抽出して、抽出した回数及び強さに対応する操作を決定する。例えば、撮像部１１０は、ユーザがラバー部１３０を１回叩打すると、フラッシュＡＵＴＯモードにフラッシュモードを遷移させる。また、撮像部１１０は、ユーザがラバー部１３０を２回連続して叩打すると、フラッシュモードをフラッシュ赤目防止モードに遷移させる。
【００１６】
また、レリーズボタン１１２は、ユーザ操作を伝達する、ハウジング部１２０の外部に延伸する伝達ボタンを通じてレリーズボタン１１２がユーザによって押下されると、撮像部１１０は被写体の画像を撮像する。なお、マイク部１４０は、ラバー部１３０のいずれの部分が叩打されたかを特定すべく、異なる場所に設けられている。撮像部１１０は、叩打されたラバー部１３０の位置に応じて、異なる内容の指示を特定してよい。
【００１７】
図２は、撮像装置１００の機能ブロック構成の一例を示す。撮像装置１００は、叩打部２１０、打音検出部２４０、指示内容格納部２２０、指示決定部２３０、操作部２５０、及び表示部１１４を備える。マイク部１４０は集音部２４２の一例であって、集音部２４２は、スピーカ等の、電気信号を物理振動に変換する変換器を含む。また、打音検出部２４０は、ユーザが撮像装置１００を揺らすことによる加速度を検出する加速度センサであってもよい。また、打音検出部２４０は、手ぶれ補正処理用に設けられたジャイロセンサであってもよい。また、ラバー部１３０は、叩打部２１０の一例である。
【００１８】
打音検出部２４０は、ユーザが撮像装置１００に伝える振動を検出する。指示決定部２３０は、打音検出部２４０が検出した振動の大きさ、周波数、又は大きさ若しくは周波数の変化に応じて、撮像装置１００に対する指示内容を決定する。例えば、指示決定部２３０は、打音検出部２４０が検出した振動の大きさ、周波数、又は大きさ若しくは周波数の変化に応じて、撮像モード、絞り量、ボタン操作自体などの指示内容を決定する。そして、操作部２５０は、指示決定部２３０が決定した指示内容に基づいて、撮像装置１００を操作する。
【００１９】
指示内容格納部２２０は、振動の大きさ、周波数、又は大きさ若しくは周波数の変化に対応づけて、撮像装置１００に対する指示内容を予め格納する。そして、指示決定部２３０は、打音検出部２４０が検出した振動の大きさ、周波数、又は大きさ若しくは周波数の変化に対応づけて指示内容格納部２２０が格納している指示内容を、撮像装置１００に対する指示内容として決定する。
【００２０】
例えば、打音検出部２４０は、ユーザが撮像装置１００を叩打することによる振動を検出する。具体的には、打音検出部２４０は、ユーザが前記叩打部を叩打することによって叩打部２１０から伝わる振動を検出する。そして、指示決定部２３０は、ユーザによって撮像装置１００が叩打された叩打回数に対応する振動の大きさの変化又は周波数に応じて、撮像装置１００に対する指示内容を決定する。例えば、指示決定部２３０は、ユーザによって撮像装置１００が叩打された叩打回数に対応する振動の大きさの変化又は周波数に基づいて、所定時間内に叩かれた回数を決定して、決定した回数に応じて、撮像装置１００に対する指示内容を決定する。
【００２１】
また、指示決定部２３０は、ユーザによって撮像装置１００が叩打された強さに対応する振動の大きさに応じて、撮像装置１００に対する指示内容を決定してもよい。また、指示決定部２３０は、ユーザによって撮像装置１００が叩打された叩打回数に対応する振動の大きさの変化又は周波数に応じて、撮像装置１００に対する指示種別を決定するとともに、ユーザによって撮像装置１００が叩打された強さに対応する振動の大きさに応じて、当該指示種別に対する指示量を決定してもよい。
【００２２】
打音検出部２４０は、撮像装置１００上の異なる位置に複数設けられる。そして、指示決定部２３０は、ユーザによって叩打された撮像装置１００上の位置に対応する、打音検出部２４０がそれぞれ検出した振動の大きさに応じて、撮像装置１００に対する指示内容を決定する。例えば、指示決定部２３０は、ユーザによって叩打された撮像装置１００上の位置に対応する、打音検出部２４０がそれぞれ検出した振動の大きさの差に応じて、撮像装置１００に対する指示内容を決定してよい。
【００２３】
表示部１１４は、指示決定部２３０が決定した指示内容を表示する。また、表示部１１４は、指示内容格納部２２０が格納している指示内容を表示する。
【００２４】
図３は、ラバー部１３０及びマイク部１４０の一例を示す。マイク部１４０は、ラバー部１３０がユーザによって叩打されることによって伝えられる振動を検出する。マイク部１４０は、ラバー部１３０に接してハウジング部１２０の内側に設けられる。また、ラバー部１３０には、マイク部１４０a及びｂの上部の領域３００及び３５０に対応づけて、指示種別が対応づけられている。例えば、領域３００及び３５０には、それぞれフラッシュモード及びシャッタスピードを制御する旨を示す指示種別が予め割り当てられている。
【００２５】
ユーザが領域３００を叩打すると叩打したことによる音声信号は、マイク部１４０ａ及びｂによって検出される。指示決定部２３０は、マイク部１４０ａ及びｂによって検出された音量の差に基づいて領域３００が叩打されたことを判断する。そして、指示決定部２３０は、マイク部１４０ａで検出された音量の時間変化（又は周波数）に基づいて、叩打回数を判断する。そして、指示決定部２３０は、フラッシュモードをフラッシュＡＵＴＯにする旨を決定して、操作部２５０はフラッシュモードをフラッシュＡＵＴＯに設定する。
【００２６】
また、ラバー部１３０における複数の領域３１０、３２０、３３０、及び３４０には、撮像装置１００を操作する操作指示量がそれぞれ与えられている。例えば、領域３１０、３２０、３３０、及び３４０には、指示量としてそれぞれ＋２、＋１、−１、及び−２が予め定められている。また、領域３１０及び３２０には「進む」旨を示す指示量が定められ、領域３３０及び３４０には「戻る」旨を示す指示量が定められる。そして、指示決定部２３０は、マイク部１４０ａ及びｂによって検出された音量の差に基づいて、領域３１０、３２０、３３０、及び３４０のうちの叩打された領域を特定する。そして、指示決定部２３０は、特定した領域に対応づけられた指示量で撮像装置１００を操作する。
【００２７】
例えば、撮像装置１００の通常の操作では、フラッシュモードの選択ボタンを押下する毎に、フラッシュモードがフラッシュＡＵＴＯ、フラッシュ赤目防止、フラッシュ強制、フラッシュ禁止の順で選択されるとする。このように設定された撮像装置１００では、まず領域３００が叩打されることによってフラッシュモードがフラッシュＡＵＴＯに設定されると、その後に領域３１０又は３２０が叩打される毎にフラッシュＡＵＴＯから、フラッシュ赤目防止、フラッシュ強制、フラッシュ禁止、フラッシュＡＵＴＯ、・・・の順でフラッシュモードが選択される。また、領域３３０又は３４０が叩打される毎にフラッシュＡＵＴＯから、フラッシュ禁止、フラッシュ強制、フラッシュ赤目防止、フラッシュＡＵＴＯ、・・・の順でフラッシュモードが選択される。
【００２８】
また、ユーザが領域３５０を叩打すると、叩打したことによる音声信号は、マイク部１４０ａ及びｂによって検出される。そして、指示決定部２３０は、マイク部１４０ａ及びｂによって検出された音量の差に基づいて領域３５０が叩打されたことを判断すると、指示決定部２３０は、シャッタスピードの選択モードに遷移することを決定する。そして、指示決定部２３０は、その後にユーザが領域３１０を叩打する毎に、シャッタスピードの制御値を２ずつ長くすることを決定する。また、指示決定部２３０は、ユーザが領域３２０を叩打する毎に、シャッタスピードの制御値を１ずつ長くすることを決定する。同様に、指示決定部２３０は、ユーザが領域３３０及び３４０を叩打する毎に、シャッタスピードをそれぞれ１及び２段階ずつ短くすることを決定する。
【００２９】
なお、本図は撮像装置１００への指示内容の対応づけの単なる一例を示しており、本図で説明した他にも様々な態様の対応づけが可能である。例えば、領域３１０、３２０、３３０、３４０には、それぞれ撮像装置１００の撮像モードを選択するためのジョグダイヤルの回転量及び回転方向（又はスピード）が対応づけられていてよい。例えば、領域３１０には、ジョグダイヤルを右方向（又は正転方向）に回転量２だけ回転させる旨が定められており、領域３２０には、ジョグダイヤルを右方向に回転量１だけ回転させる旨が定められている。また、領域３３０には、ジョグダイヤルを左方向（又は逆転方向）に回転量１だけ回転させる旨が定められており、領域３４０には、ジョグダイヤルを左方向に回転量２だけ回転させる旨が定められている。
【００３０】
また、本図の例では、２つのマイク部１４０によってユーザの打音を検出する方法について説明したが、３つ以上のマイク部１４０が設けられても良いことは言うまでもない。この場合、二次元面にわたる詳細な位置を特定することができるので、位置に対応させる指示内容を著しく多様化することができる。
【００３１】
図４は、指示内容格納部２２０が格納しているデータの一例をテーブル形式で示す。指示内容格納部２２０は、ユーザによる叩打パターンに対応づけて指示内容を格納している。具体的には、指示内容格納部２２０は、振動の大きさ変化及び振動の大きさに対応づけて、指示内容を格納している。例えば、指示内容格納部２２０は、一回の大きな振動ピークを有する振動の大きさ変化に対応づけて、フラッシュＡＵＴＯにする旨を指示内容として格納している。同様に、指示内容格納部２２０は、２回の大きな振動ピーク及び３回の大きな振動ピークに対応づけてそれぞれフラッシュ赤目防止及びフラッシュ強制にする旨を指示内容として格納している。また、所定の時間間隔を持つ２つの大きな振動ピークに対応づけて、フラッシュ禁止を指示内容として格納している。また、指示内容格納部２２０は、時間的に長い１つのピークを持つ振動の大きさ変化及び振動の大きさ１に対応づけて、絞り値を１段階だけ増加させる旨の指示内容を格納している。また、指示内容格納部２２０は、時間的に長い１つのピークを持つ振動の大きさ変化及び振動の大きさ２に対応づけて、絞り値を２段階だけ増加させる旨の指示内容を格納している。
【００３２】
このように、指示内容格納部２２０は、振動信号の特徴量に対応づけて指示内容を格納している。また、図３の説明では、撮像装置１００への指示内容が位置に対応づけられており、指示決定部２３０が位置に応じて操作内容を決定するという形で説明したが、指示決定部２３０は必ずしも位置自体を算出する必要はなく、マイク部１４０ａ及びｂが検出する音量信号の特徴量又は音声信号のパターン自体に応じて操作内容が定められていてよい。
【００３３】
図５は、表示部１１４が表示する表示内容の一例を示す。表示部１１４は、指示内容格納部２２０が格納している指示内容をユーザに示す。フラッシュＡＵＴＯ、フラッシュ赤目防止、フラッシュ強制、及びフラッシュ禁止のフラッシュモードに対応づけて、各フラッシュモードを選択することができる叩打パターンを表示する。ユーザは、このような表示部１１４の表示結果を参照することによって、所望のモードを容易に選択することができる。
【００３４】
図６は、撮像装置１００の他の形態の一例を示す。本形態における撮像装置１００は、それ自体水密性を有している。本形態における撮像装置１００は、独立したハウジング部１２０以外の、図１から図５に関連して説明した撮像装置１００が有する各構成要素を有している。そして、本形態における撮像装置１００が備える各構成要素は、ラバー部１３０が撮像装置１００上に設けられる点を除いて、図１から図５に関連して説明した撮像装置１００と同様の機能を及び特徴を有するので、説明を省略する。
【００３５】
図７は、撮像装置１００に係るコンピュータ１５００のハードウェア構成の一例を示す。コンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００３６】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００３７】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、コンピュータ１５００内のＣＰＵ１５０５が使用するプログラム、及びデータを格納する。通信インターフェイス１５３０は、ネットワークを介して撮像装置１００と通信し、撮像装置１００にプログラム、及びデータを提供する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００３８】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００３９】
ＲＡＭ１５２０を介して通信インターフェイス１５３０に提供されるプログラムは、フレキシブルディスク１５９０、ＣＤ−ＲＯＭ１５９５、またはＩＣカード等の記録媒体に格納されて利用者によって提供される。プログラムは、記録媒体から読み出され、ＲＡＭ１５２０を介して通信インターフェイス１５３０に提供され、ネットワークを介して撮像装置１００に送信される。撮像装置１００に送信されたプログラムは、撮像装置１００においてインストールされて実行される。
【００４０】
撮像装置１００にインストールされて実行されるプログラムは、撮像装置１００を、図１から図６に関連して説明した叩打部２１０、打音検出部２４０、指示内容格納部２２０、指示決定部２３０、操作部２５０、及び表示部１１４として機能させる。
【００４１】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムをコンピュータ１５００に提供してもよい。
【００４２】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００４３】
【図１】撮像装置１００の概要を示す図である。
【図２】撮像装置１００のブロック構成の一例を示す図である。
【図３】ラバー部１３０及びマイク部１４０の一例を示す図である。
【図４】指示内容格納部２２０が格納しているデータの一例を示す図である。
【図５】表示部１１４が表示する表示内容の一例を示す図である。
【図６】撮像装置１００の他の形態の一例を示す図である。
【図７】撮像装置１００に係るコンピュータ１５００のハードウェア構成の一例を示す図である。
【符号の説明】
【００４４】
１００  撮像装置
１１０  撮像部
１１４  表示部
１２０  ハウジング部
１１２  レリーズボタン
１３０  ラバー部
１４０  マイク部
２１０  叩打部
２４０  打音検出部
２４２  集音部
２２０  指示内容格納部
２３０  指示決定部
２５０  操作部
【図１】
2008109350.tif 000003
【図２】
2008109350.tif 000004
【図３】
2008109350.tif 000005
【図４】
2008109350.tif 000006
【図５】
2008109350.tif 000007
【図６】
2008109350.tif 000008
【図７】
2008109350.tif 000009